(57)【要約】      （修正有）【課題】簡単に組み合わせたり分離したりすることができる組み合わせ可能な指輪を提供する。【解決手段】リング形状を有し、指を挿入可能な第１のリング部と、該第１のリング部に固着された環状の第１の装飾部１ａを有する第１の指輪１と、第１のリング部と略同サイズのリングを備える第２のリング部と、該第２のリング部に装着された第２の装飾部２ａを有する第２の指輪２から構成され、第２の装飾部２ａが第１の装飾部１ａの環状内側を貫通可能である。【選択図】図３
0003173100.tif 000002
【実用新案登録請求の範囲】
【請求項１】
リング形状を有し、指を挿入可能な第１のリング部（１ｂ）と、該第１のリング部に固着された環状の第１の装飾部（１ａ）を有する第１の指輪（１）と、前記第１のリング部と略同サイズのリングを備える第２のリング部（２ｂ）と、該第２のリング部に装着された第２の装飾部（２ａ）を有する第２の指輪（２）から構成され、前記第２の装飾部が前記第１の装飾部の環状内側を貫通可能であることを特徴とする組み合わせ可能な指輪。
【請求項２】
前記第１のリング部はリングの内外を結ぶ隙間を有し、前記第１の装飾部が該隙間を形成する２端部又はその近傍に固着される請求項１記載の組み合わせ可能な指輪。
【請求項３】
前記第１の装飾部材の環状面と前記第１のリング部のリング面が直交するように、前記第１の装飾部が前記第１のリング部に固着される請求項１〜３のいずれか１項記載の組み合わせ可能な指輪
【請求項４】
前記第１の装飾部の前記第１のリング部に固着された部位の近傍に溝部が形成され、前記第１及び第２の指輪を組み合わせると前記第２のリング部のリング外周面が係合する請求項１〜３のいずれか１項記載の組み合わせ可能な指輪。
【考案の詳細な説明】
【技術分野】
【０００１】
本考案は、複数の指輪について、それぞれの指輪としても複数の指輪の組み合わせとしても使用できる組み合わせ可能な指輪に関する。
【背景技術】
【０００２】
従来、１つの大きな宝石が取り付けられた主指輪と、該主指輪の宝石が取り付け首部の周囲を囲繞可能とする環状装飾部をリングの頂部に装着してなる補助指輪とからなり、該環状装飾部の一部を分割して係合溝を形成し、該係合溝にバネ状鈎片を取り付け、スナップ的に係合可能とした組み合わせ可能な指輪が提案されている（例えば、特許文献１参照）。
【先行技術文献】
【特許文献】
【０００３】
【特許文献１】実開昭６０−７４６１７号公報
【考案の概要】
【考案が解決しようとする課題】
【０００４】
しかしながら、上記の組み合わせ可能な指輪は、構造が複雑であり、製造が困難である。さらに、主指輪又は補助指輪を単独で使用するために該指輪を分離したり、再度、組み合わせたりするのが難しいなどの課題があった。
【０００５】
本考案は、上記課題を解決するものであり、その目的は、簡単に組み合わせたり分離したりすることができる組み合わせ可能な指輪を提供することにある。
【課題を解決するための手段】
【０００６】
本考案に係る組み合わせ可能な指輪は、リング形状を有し、指を挿入可能な第１のリング部（１ｂ）と、該第１のリング部に固着された環状の第１の装飾部（１ａ）を有する第１の指輪（１）と、前記第１のリング部と略同サイズのリングを備える第２のリング部（２ｂ）と、該第２のリング部に装着された第２の装飾部（２ａ）を有する第２の指輪（２）から構成され、前記第２の装飾部が前記第１の装飾部の環状内側を貫通可能であることを特徴とする。
【０００７】
この構成によると、第１の指輪の第１の装飾部の環状内側に第２の指輪の第２の装飾部を通して両指輪のリング部を組み合わせることにより、両リングの大きさは略同じなので第１及び第２の指輪の各装飾部とは異なる装飾部を有する指輪として使用することができる。
【０００８】
本考案の組み合わせ可能な指輪は、好適には前記第１のリング部はリングの内外を結ぶ隙間を有し、前記第１の装飾部が該隙間を形成する２端部又はその近傍に固着されることを特徴とする。
このことによって、隙間を有する第１のリング部の該隙間を形成する２端部又はその近傍に第１の装飾部が固着されるので、装着時第１の装飾部の環状面が指のより近くにくるようになり第２の指輪と組み合わせて装着したとき第１及び第２の装飾部の調和をより図ることができる。
【０００９】
好適には、前記第１の装飾部材の環状面と前記第１のリング部のリング面が直交するように、前記第１の装飾部が前記第１のリング部に固着されることを特徴とする。このような構成により、装着時第１の装飾部材の環状面が指に平行になり美感が向上する。
【００１０】
さらに好適には、前記第１の装飾部の前記第１のリング部に固着された部位の近傍に溝部が形成され、前記第１及び第２の指輪を組み合わせると前記第２のリング部のリング外周面が係合することを特徴とする。
このような構成では、第２のリング部のリング外周面が溝部と係合し、第１と第２の指輪をきっちりと組み合わせることができる。さらに、第１の指輪と第２の指輪を組み合わせたとき、各々のリングが揃うので、装着し易く、また、美観も向上する。
【考案の効果】
【００１１】
本考案の組み合わせ可能な指輪によれば、１の指輪の環状の装飾部に他の指輪の装飾部を通して両指輪のリング部を揃えることで、２つの指輪のそれぞれの装飾部とは異なる装飾部を有する指輪を簡単に組み合わせることができ、組み合わされた指輪を２つの指輪に簡単に分離することができる。
【図面の簡単な説明】
【００１２】
【図１】実施例１に係る組み合わせ可能な指輪の第１の指輪の斜視図である。
【図２】実施例１に係る組み合わせ可能な指輪の第２の指輪の斜視図である。
【図３】第１及び第２の指輪を組み合わせた状態を示す斜視図である。（実施例１）
【図４】第１及び第２の指輪の組み合わせ方法を示す説明図である。（実施例１）
【図５】実施例２に係る組み合わせ可能な指輪の第１の指輪を示す斜視図である。
【図６】図６(ａ)は、図５のＡ方向から見た側面図であり、（ｂ）は（ａ）のＢ-Ｂ矢印断面図である。
【図７】実施例２に係る組み合わせ可能な指輪の第２の指輪の斜視図である。
【図８】第１及び第２の指輪を組み合わせた状態を示す図である。（実施例２）
【図９】実施例３に係る組み合わせ可能な指輪を示す斜視図であり、（ａ）は第１の指輪、（ｂ）は第２の指輪、（ｃ）は第１及び第２の指輪を組み合わせた状態を示す。
【図１０】本考案に係る組み合わせ可能な指輪の使用状態を示す。（実施例１〜３）
【考案を実施するための形態】
【００１３】
以下、本考案の実施例について詳細に説明するが、本考案は、これに限定されて解釈されるものではなく、本考案の範囲を逸脱しない限りにおいて、当業者の知識に基づいて、種々の変更、修正、改良を加え得るものである。また、以下の実施例において同一部については同一の符号を付し、その重複する説明は省略する。
【実施例１】
【００１４】
図１は、実施例１に係る組み合わせ可能な指輪を構成する第１の指輪を示す。図１に示すように、第１の指輪１は、第１のリング部１ｂが第１の装飾部１ａに固着されてなる。第１の装飾部１ａは平面視ハート形の環状を有し、該環の表面には小さな宝石（例えば、ダイヤモンド）が多数埋め込まれて装飾されている。第１のリング部１ｂは、例えばプラチナなどの金属で作られる。第１の装飾部１ａは、平面視ハート形状の環の中央部よりやや下側（尖った先端方向）の裏側（宝石で装飾されていない側）において、第１のリング部１ｂに固着される。
【００１５】
図２は、実施例１の組み合わせ可能な指輪を構成する第２の指輪を示す。図２に示すように、第２の指輪２は、第２のリング部２ｂの頂部に第２の装飾部２ａが装着されてなる。第２の装飾部１ａには１個の大きな宝石（例えば、ダイヤモンド）が埋め込まれて装飾されている。第１のリング部１ｂは、例えばプラチナなどの金属で作られる。
【００１６】
図３は、実施例１の第１及び第２の指輪を組み合わせた指輪１０を示す。図３に示すように、指輪１０は、１個の大きな宝石が埋め込まれた第２の装飾部２ａが、表面に小さな宝石が多数埋め込まれた平面視ハート形状の第１の装飾部２ａで周囲を囲繞されるため、第１の指輪１又は第２の指輪２単独の場合よりも意匠的に豪華である。また、第１のリング部１ｂと第２のリング部２ｂの両リングのサイズは同じなので、指に装着し易く、さらに装着した指輪の一方のリングだけが指に合わずに、指から容易に外れて落ちるということが防止できる。
【００１７】
図４は、実施例１の第１及の指輪と第２の指輪の組み合わせ方法を示す。図４に示すように、第１の指輪１の第１の装飾部１ａの平面視ハート形状の環内を裏側（第１のリング部に固着されている側）４から第２の装飾部２ａを通すことによって環状の第１の装飾部内に第２の装飾部が配置され、２つの指輪１，２を簡単に組み合わせることができる。
【実施例２】
【００１８】
図５は、実施例２に係る組み合わせ可能な指輪を構成する第１の指輪を示す。本実施例の第１の装飾部１１ａは平面視円形の環状であり、該円形環の表面には小さな宝石（例えば、エメラルド）が多数埋め込まれて装飾されている。実施例１同様、第１のリング部１１ｂが第１の装飾部１１ａに、該円形環の直径となる中央線からやや外れた位置で固着されてなる。第１のリング部１１ｂは、例えばプラチナなどの金属で作られる。
【００１９】
図６は、本実施例の第１の指輪の側面図であり、(ａ)は、図５のＡ方向から見た側面図であり、（ｂ）は（ａ）のＢ-Ｂ矢印断面図である。
図６(ａ)に示すように、第１のリング部１１ｂはリングの内外を結ぶ隙間Ｇを有し、第１の装飾部１１ａが、その裏側（宝石で装飾されていない側）において、第１のリング部１１ｂに該隙間を形成する２端部１５ａ，１５ｂの近傍で固着される
【００２０】
図６（ｂ）に示すように、第１のリング部１１ｂのリング面１７が第１の装飾部１１ａの環状（円形環）面１６と直交するように、第１の装飾部１１ａが第１のリング部１１ｂに固着される。
また、第１の装飾部１１ａの、第１のリング部１１ｂに固着された部位のすぐ横、かつ中央寄りに溝部１８が図面の下方向に開口して形成される。この溝部１８は、第２のリング部１２ｂ（図７参照）のリング外周面が係合するように形成される。そして、該溝部１８は第１の装飾部１１ａの側面視略中央部を円環の径方向に貫いて形成される。
【００２１】
図７は、実施例２に係る組み合わせ可能な指輪を構成する第２の指輪を示す。図７に示すように、第２の指輪１２は、第２のリング部１２ｂの頂部に第２の装飾部１２ａが装着されいなる。第２の装飾部１１ａには１個の大きな宝石（例えば、真珠）が埋め込まれて装飾されている。第１のリング部１１ｂは、例えばプラチナなどの金属で作られる。
【００２２】
図８は、実施例２に係る第１の指輪と第２の指輪を組み合わせた指輪２０を示し、（ｂ）は（ａ）のＣ方向から見た図である。図８に示すように、指輪２０は、１個の大きな宝石が埋め込まれた第２の装飾部１２ａが表面に小さな宝石が多数埋め込まれた円形環の第１の装飾部１１ａで周囲を囲繞されてなるため、第１の指輪１１又は第２の指輪１２単独の場合よりも意匠的に豪華である。また、実施例１同様、第１のリング部１１ｂと第２のリング部１２ｂの両リングのサイズは同じなので、指に装着し易く、さらに装着した指輪の一方のリングだけが指に合わずに、指から容易に外れて落ちるということが防止できる。
【実施例３】
【００２３】
図９は、実施例３に係る組み合わせ可能な指輪を示す斜視図であり、（ａ）は第１の指輪２１、（ｂ）は第２の指輪２２、（ｃ）は第１及び第２の指輪２１，２２を組み合わせた指輪３０を示す。
図９（ａ）に示すように、本実施例の第１の装飾部２１ａは平面視円形の環状であり、その表面は金属が研磨された光沢を有し、例えば、プラチナやステンレスなどの金属で作られる。実施例１同様、第１の装飾部２１ａが、その円形環の直径となる中央線からやや外れた位置で第１のリング部２１ｂに固着される。第１のリング部２１ｂは、例えばプラチナやステンレスなどの金属で作られる。
【００２４】
第１の装飾部２１ａの円形環の裏側（第１のリング部２１ｂに固着された側）、かつ該円形環の直径となる中央線を中心に溝部２８が図面の下方向に開口し、円環の径方向に貫いて形成される。この溝部２８は、第２のリング部２２ｂ（図９（ｂ）参照）のリング外周面が係合するように形成される。溝部２８の近傍で第１の装飾部２１ａは第１のリング部２１ｂに固着される。
【００２５】
図９（ｂ）に示すように、第２の指輪２２は、第２のリング部２２ｂの頂部に第２の装飾部２２ａが装着される。第２の装飾部２２ａには、デザイン化されたアルファベットのＭが形成され、第１の装飾部２１ａと同じ金属で作られ、その表面は研磨されている。第２のリング部２２ｂは、例えばプラチナやステンレスなどの金属で作られる。
【００２６】
図９（ｃ）に示すように、指輪３０は、アルファベットのＭがデザイン化された第２の装飾部２２ａが同じ金属光沢で平面視円環状の第１の装飾部２１ａで周囲を囲繞されるため、第１の指輪２１又は第２の指輪２２単独の場合とは違った意匠となる。また、実施例１同様、第１のリング部２１ｂと第２のリング部２２ｂのリングのサイズは同じなので、指に装着し易く、さらに装着した指輪の一方のリングだけが指に合わずに、指から容易に外れて落ちるということが防止できる。
本実施例の組み合わせ可能な指輪では、贈答用として、贈られる人のイニシャルをデザイン化して異性へのプレゼントとすることができる。
【００２７】
図１０は、本考案に係る組み合わせ可能な指輪の使用状態を示す図であり、（ａ１），（ａ２），（ａ３）は、それぞれ実施例１ないし３の第１及び第２の指輪を夫々単独で使用する場合を示し、この場合には、同時に２つの指輪を違う指に装着することができるし、時と場所を違えて夫々の指輪を１つずつ装着することもできる。（ｂ１），（ｂ２），（ｂ３）は、それぞれ実施例１ないし３の指輪を組み合わせて使用する場合を示しす。図示するように、第１の指輪と第２の指輪を組み合わせて使用すると、夫々を単独で使用する場合と異なる意匠となる。
【００２８】
本考案に係る組み合わせ可能な指輪は、多目的に使用できるセット商品とすることができる。例えば、冠婚葬祭用としては、弔辞には第２の装飾部に真珠が組み込まれた第２の指輪を使用し、慶事には該第２の装飾部と、環状に、例えばダイヤモンドが散りばめられた第１の装飾部を有する第１の指輪を組み合わせて使用することができる。
さらに、上記の組み合わせの指輪を持っている人には、例えば、ダイヤモンドが散りばめられたの第１の指輪を持っている人には、第２の装飾部に真珠以外の他の宝石で装飾された第２の指輪をプレセントすると贈られた人に喜ばれる。第２の装飾部のデザインとしては、星や花など種々の自然物を使用することも可能である。
【産業上の利用可能性】
【００２９】
本考案に係る組み合わせ可能な指輪は、例えば、贈答用の組み合わせ可能な指輪として有用である。
【符号の説明】
【００３０】
１，１１，２１    第１の指輪
１ａ，１１ａ，２１ａ    第１の装飾部
１ｂ，１１ｂ，２１ｂ    第１のリング部
２，１２，２２    第２の指輪
２ａ，１２ａ，２２ａ    第２の装飾部
２ｂ，１２ｂ，２２ｂ    第１のリング部
１０，２０，３０  組み合わせ可能な指輪
１８，２８    溝部
Ｇ    隙間 
【図１】
0003173100.tif 000003
【図２】
0003173100.tif 000004
【図３】
0003173100.tif 000005
【図４】
0003173100.tif 000006
【図５】
0003173100.tif 000007
【図６】
0003173100.tif 000008
【図７】
0003173100.tif 000009
【図８】
0003173100.tif 000010
【図９】
0003173100.tif 000011
【図１０】
0003173100.tif 000012
【手続補正書】
【提出日】平成23年11月11日(2011.11.11)
【手続補正１】
【補正対象書類名】実用新案登録請求の範囲
【補正対象項目名】請求項３
【補正方法】変更
【補正の内容】
【請求項３】
前記第１の装飾部材の環状面と前記第１のリング部のリング面が直交するように、前記第１の装飾部が前記第１のリング部に固着される請求項１又は請求項２記載の組み合わせ可能な指輪